(57)【特許請求の範囲】
【請求項１】
車体の車高を調整可能なエアサスペンションと、
上記車体の後部に設けられて通常位置又は格納位置に切換可能な可動式リアバンパと、
伸縮動作により上記可動式リアバンパを切り換えるバンパ用エアシリンダと、
上記エアサスペンション及び上記バンパ用エアシリンダに高圧エアを送り込む空圧回路とを備え、
上記車体に対して荷箱を脱着可能な脱着車両において、
上記荷箱を切り離す際に、上記エアサスペンション及び上記バンパ用エアシリンダが連動し、該エアサスペンションが縮小して上記車体の車高が低くなり、上記可動式リアバンパが格納位置になるように構成され、
上記エアサスペンション及び上記バンパ用エアシリンダを連動させるための連動切換スイッチをさらに備え、該連動切換スイッチがオンのときのみ上記エアサスペンション及び上記バンパ用エアシリンダを連動させるように構成されている
ことを特徴とする脱着車両。
【請求項２】
請求項１に記載の脱着車両において、
上記荷箱を切り離す際に、上記空圧回路により、上記エアサスペンション及び上記バンパ用エアシリンダの高圧エアを同時に抜くように構成されている
ことを特徴とする脱着車両。
【発明の詳細な説明】
【技術分野】
【０００１】
本発明は、車体に対して荷箱を脱着可能な脱着車両に関する。
【背景技術】
【０００２】
従来より、この種の脱着車両として、例えば特許文献１に示すように、車体に対して脱着可能に搭載される荷箱を上昇させて該車体から切り離した状態で支持脚により支持するようにした、いわゆる水平脱着式の脱着車両は知られている。
【０００３】
一方で、上記支持脚の伸縮範囲を大きくとれないような場合などに、特許文献２又は３のようなエアサスペンションを調整する技術を利用し、車体の高さを低くして荷箱の水平脱着等を容易にすることも知られている。
【０００４】
また、特許文献４のように、車体の後部に通常位置又は格納位置に切換可能な可動式リアバンパを設けることが知られている。
【先行技術文献】
【特許文献】
【０００５】
【特許文献１】特許第４３１２４１２号公報
【特許文献２】特開２００５−１２５９０７号公報
【特許文献３】特開平７−８１４７７号公報
【特許文献４】特開２００７−２７６６８７号公報
【発明の概要】
【発明が解決しようとする課題】
【０００６】
しかしながら、上記特許文献１のような水平脱着方式の脱着車両では、荷箱の支持脚を延ばした状態で、車体が前進して荷箱の脱着を行う必要がある。また、荷箱を載置するスペースや車体が前進及び後進するスペースだけでなく、車体が旋回するスペースを確保する必要もある。特に荷箱を多数並べているような場所では、このようなスペースを確保するのは困難である。
【０００７】
そのため、車体の前後方向が長いと、その旋回及び前後進するための操作が面倒になるという問題がある。
【０００８】
本発明は、かかる点に鑑みてなされたものであり、その目的とするところは、荷箱の脱着時の車体の姿勢を調整して狭い場所でもできるだけ容易に荷箱の脱着を行えるようにすることにある。
【課題を解決するための手段】
【０００９】
上記の目的を達成するために、この発明では、車高調整とリアバンパの格納とを連動させるようにした。
【００１０】
具体的には、第１の発明では、車体の車高を調整可能なエアサスペンションと、
上記車体の後部に設けられて通常位置又は格納位置に切換可能な可動式リアバンパと、
伸縮動作により上記可動式リアバンパを切り換えるバンパ用エアシリンダと、
上記エアサスペンション及び上記バンパ用エアシリンダに高圧エアを送り込む空圧回路とを備え、
上記車体に対して荷箱を脱着可能な脱着車両を前提とし、
上記脱着車両は、
上記荷箱を切り離す際に、上記エアサスペンション及び上記バンパ用エアシリンダが連動し、該エアサスペンションが縮小して上記車体の車高が低くなり、上記可動式リアバンパが格納位置になるように構成されている。
【００１１】
上記の構成によると、荷箱の切り離し時に、エアサスペンションを縮小させて車体の車高を低くすると共に、可動式リアバンパを収納位置に納め車体の前後の長さを短くすることができるので、車体の旋回及び前後進の操作が容易になる。本発明では、エアサスペンションとバンパ用エアシリンダとを連動させて車体の姿勢変化を容易に行うことができる。
【００１２】
第２の発明では、第１の発明において、
上記荷箱を切り離す際に、上記空圧回路により、上記エアサスペンション及び上記バンパ用エアシリンダの高圧エアを同時に抜くように構成されている。
【００１３】
上記の構成によると、空圧回路を制御することにより、高圧エアを同時に抜くだけでエアサスペンションとバンパ用エアシリンダとを連動させることができる。
【００１４】
第３の発明では、第１又は第２の発明において、
上記エアサスペンション及び上記バンパ用エアシリンダを連動させるための連動切換スイッチをさらに備え、該連動切換スイッチがオンのときのみ上記エアサスペンション及び上記バンパ用エアシリンダを連動させるように構成されている。
【００１５】
上記の構成によると、常にエアサスペンション及びバンパ用エアシリンダを連動させるようにすると、荷箱の脱着時にのみ連動させるようにすることで、走行中等通常の使用状態とすべき場合の安全が確保される。
【発明の効果】
【００１６】
以上説明したように、本発明によれば、荷箱を切り離す際にエアサスペンション及びバンパ用エアシリンダを連動させて車体の車高を低くすると共に、可動式リアバンパを格納位置にするようにしたことにより、荷箱の脱着時の車体の姿勢を適切に調整して狭い場所でもできるだけ容易に荷箱の脱着を行うことができる。
【図面の簡単な説明】
【００１７】
【図１】本発明の実施形態に係る脱着車両が荷箱を脱着する様子を示す正面図である。
【図２】本発明の実施形態に係る脱着車両の通常の使用状態を示す正面図である。
【図３】操作盤の概要を示す正面図である。
【図４】脱着車両の空圧回路図である。
【図５】変形例に係る空圧回路図である。
【発明を実施するための形態】
【００１８】
以下、本発明の実施形態を図面に基づいて説明する。
【００１９】
図１及び図２は、本発明の実施形態の脱着車両１を示し、この脱着車両１は、運転室３と、シャーシ４と、複数の車輪５とを備えた走行可能な車体２を備えている。
【００２０】
この車体２は、例えばシャーシ４の後部に、その車高を調整可能なエアサスペンション６を備えている。また、車体２の後部には、通常位置又は格納位置に切換可能な可動式リアバンパ７が設けられている。この可動式リアバンパ７は、伸縮動作により可動式リアバンパ７を切り換えるバンパ用エアシリンダ８を備えている。また、車体２には、エアサスペンション６及びバンパ用エアシリンダ８に高圧エアを送り込む空圧回路３０（図４に示す）を備えている。可動式リアバンパ７は、バンパ用エアシリンダ８内の圧力が低下したときに自動で縮小させるため、例えば、引っ張りコイルバネ等による戻り機構９を備えていてもよい。また、サスペンション内に入った空気を戻り機構として利用してもよい。
【００２１】
脱着車両１は、さらに車体２に対して脱着可能に搭載される荷箱１０を備えている。この荷箱１０は、例えば二対の支持脚１１を備え、この支持脚１１は、回動可能且つ伸縮可能となっている。図１に示すように、この支持脚１１を回動させて伸長させた状態で、車体２のサスペンションのエアを抜くことにより地上高を下げて、車体２から切り離した状態で支持脚１１により荷箱１０を地面等に支持できるようになっている。なお、車体２の地上高を下げる代わりに、荷箱１０を上昇させて車体２から切り離すようにしてもよい。
【００２２】
例えば、運転室３には、操作盤２０が設けられており、図３に示すように、この操作盤２０には、可動式リアバンパ７を伸縮させるリアバンパスイッチ２１と、バンパ用エアシリンダ８を伸縮させて可動式リアバンパ７を伸長させた通常位置又は縮小させた格納位置に切り換えるためのエアサススイッチ２２が設けられている。そして、操作盤２０には、エアサスペンション６及びバンパ用エアシリンダ８を連動させるための連動切換スイッチ２３を備えている。例えば、リアバンパスイッチ２１とエアサススイッチ２２はモーメンタリスイッチよりなり、連動切換スイッチ２３は、トグルスイッチよりなる。例えば、走行速度が１０ｋｍ／ｈ以上のときには、連動切換スイッチ２３が押されても連動しないような安全機構を設けるのが望ましい。
【００２３】
図４に示すように、空圧回路３０は、エアサスペンション６の動作を切り換えるための３ポート２位置切換弁よりなるエアサス用切換弁３１と、バンパ用エアシリンダ８の動作を切り換えるための３ポート２位置切換弁よりなるバンパ用切換弁３２と、プロテクションバルブ３３とを備えている。少なくともエアサス用切換弁３１及びバンパ用切換弁３２は、制御装置２４と信号のやり取りをしており、連動切換スイッチ２３がオンのときのみエアサスペンション６及びバンパ用エアシリンダ８を連動させるように構成されている。
【００２４】
次に、本実施形態に係る脱着車両１の作動について説明する。
【００２５】
まず、図２に示す走行時などの通常の使用状態では、荷箱１０がシャーシ４に搭載されて支持脚１１が収納されている。エアサス用切換弁３１及びバンパ用切換弁３２は、図４の通常位置にあり、エアサスペンション６は伸長して車高は高く、バンパ用エアシリンダ８は伸長し、可動式リアバンパ７は通常位置となっている。これにより、快適走行でき、後突に対する安全性も確保されている。
【００２６】
そして、荷箱１０を切り離す際には、図１に示すように、まず、支持脚１１を回動させて鉛直とした後、連動切換スイッチ２３をオン側に倒し、連動操作可能な状態とする。このとき、車体２は停止しているので、安全機構が働かず連動操作が可能となる。
【００２７】
次いで、エアサススイッチ２２及びリアバンパスイッチ２１のどちらかを操作すると、エアサス用切換弁３１及びバンパ用切換弁３２が収納位置に切り換わる。それにより、高圧エアが大気開放され、エアサスペンション６及びバンパ用エアシリンダ８が連動し、エアサスペンション６が縮小して車体２の車高が低くなり、可動式リアバンパ７が格納位置になる。なお、連動切換スイッチ２３がオフの場合には、エアサス用切換弁３１又はバンパ用切換弁３２を単独で切換操作可能となっている。
【００２８】
このように、荷箱１０の切り離し時に、同時にエアサスペンション６を縮小させて車体２の車高を低くすると共に、可動式リアバンパ７を収納位置に納め車体２の前後の長さを短くすることができるので、車体２の旋回及び前後進の操作が容易になる。連動切換スイッチ２３をオン側に倒した状態では、エアサススイッチ２２及びリアバンパスイッチ２１のどちらかを操作すると、エアサスペンション６とバンパ用エアシリンダ８とが連動するので、車体２の姿勢変化を容易に行うことができる。
【００２９】
また、本実施形態では、荷箱１０を切り離す際に、空圧回路３０を制御することにより、高圧エアを同時に抜くだけで容易にエアサスペンション６とバンパ用エアシリンダ８とを連動させることができる。
【００３０】
さらに、連動切換スイッチ２３によって、荷箱１０の脱着時にのみエアサスペンション６とバンパ用エアシリンダ８とを連動させるようにすることで、走行中等の安全を確保することができる。
【００３１】
したがって、本実施形態に係る脱着車両１によると、荷箱１０の脱着時の車体２の姿勢を調整して狭い場所でもできるだけ容易に荷箱１０の脱着を行える。
【００３２】
−変形例−
図５は本発明の実施形態の変形例を示し、空圧回路３０の構成が異なる点で上記実施形態と異なる。なお、本変形例では、図１〜図４と同じ部分については同じ符号を付してその詳細な説明は省略する。
【００３３】
すなわち、本変形例では、エアサスペンション６及びバンパ用エアシリンダ８の制御を１つの３ポート２位置切換弁３４で行っている。
【００３４】
この場合、構成が極めて容易となるが、空圧回路３０のどこかでエア漏れすると、エアサスペンション６及びバンパ用エアシリンダ８の両方に問題が発生する可能性がある。
【００３５】
（その他の実施形態）
本発明は、上記実施形態について、以下のような構成としてもよい。
【００３６】
すなわち、上記実施形態では、脱着車両１は荷箱１０を備えているが、荷箱１０の種類は、ドライコンテナ、冷凍コンテナ、塵芥用コンテナ、湿塩散布コンテナなど特に限定されない。
【００３７】
上記実施形態では、可動式リアバンパ７は、バンパ用エアシリンダ８で直接伸縮させて通常位置と格納位置とを切り換えるようにしているが、特許文献４のようにバンパ用エアシリンダを伸縮させて間接的に可動式リアバンパを回動させて通常位置と格納位置とを切り換えるようにしてもよい。
【００３８】
上記実施形態では、バンパ用エアシリンダ８は、単動形シリンダとして戻り機構９を設けているが、この戻り機構９を設けずに複動形シリンダとしてもよい。その場合には、バンパ用エアシリンダ８はエア抜きではなく、逆方向にピストンロッドを動かすことで伸縮の切り換えるようにすればよい。
【００３９】
上記実施形態では、脱着車両１は、水平脱着式脱着車両としているが、車体の車高を低くした上で、荷箱を傾斜させながら積み降ろしする脱着車両であってもよい。この場合でも、エアサスペンション６とバンパ用エアシリンダ８を調整し、車高を低くすると共に全長を短くすれば、車体２の前後移動及び旋回が容易となる。
【００４０】
なお、以上の実施形態は、本質的に好ましい例示であって、本発明、その適用物や用途の範囲を制限することを意図するものではない。
【符号の説明】
【００４１】
１      脱着車両
２      車体
３      運転室
４      シャーシ
５      車輪
６      エアサスペンション
７      可動式リアバンパ
８      バンパ用エアシリンダ
９      戻り機構
１０      荷箱
１１      支持脚
２０      操作盤
２１      リアバンパスイッチ
２２      エアサススイッチ
２３      連動切換スイッチ
２４      制御装置
３０      空圧回路
３１      エアサス用切換弁
３２      バンパ用切換弁
３３      プロテクションバルブ
３４      位置切換弁
【図１】
0006563268.tif 000002
【図２】
0006563268.tif 000003
【図３】
0006563268.tif 000004
【図４】
0006563268.tif 000005
【図５】
0006563268.tif 000006